(57)【要約】【課題】データ通信モジュールをケージから係合解除するための、キャッチの弾性又は可撓性に依存せず、かつ可動部品の少ないラッチ解除機構の提供。【解決手段】アクチュエータ・ハンドル１２８と、リスト旋回軸において前記ハンドルに接続され、クランク旋回軸においてモジュール・ハウジング１０６に接続されたＴ字形のクランク１３０とを含む、データ通信モジュール１０２をケージ１０４から係合解除するためのラッチ解除機構。ユーザがアクチュエータ・ハンドル１２８を引っ張ると、それによってアクチュエータ・ハンドル１２８はハウジング１０６に対してスライドし、クランク１３０は旋回し、ピン１１４を持ち上げ、ケージ１０４との係合が解除される。【選択図】図９
2014120481.tif 000002
【特許請求の範囲】
【請求項１】
データ通信信号を処理するように構成されたモジュール電子回路と、
第１の端部及び第２の端部の間において長手軸の方向に細長い細長い形状を有するモジュール・ハウジングであって、前記モジュール・ハウジングの前記第１の端部が、信号ケーブルを受け入れるためのモジュール・ポートを有し、前記モジュール・ハウジングの前記第２の端部が、電気接点を有し、前記モジュール電子回路が、前記モジュール・ポートと、前記電気接点との間におけるデータ通信信号のための処理経路を提供する、モジュール・ハウジングと、
前記長手軸の方向に細長い形状を有し、前記長手軸の方向において前記モジュール・ハウジングに対してスライド可能に配置されたアクチュエータ・ハンドルと、
第１のアーム構造と、前記第１のアーム構造に対して実質的に垂直な向きの第２のアーム構造とを有する実質的にＴ字形のクランクであって、前記第１のアーム構造が、クランク旋回軸において前記モジュール・ハウジングに旋回可能に接続された第１の端部と、そこから延びるピンを有する第２の端部とを有し、前記第２のアーム構造が、前記第１のアーム構造の前記第１の端部と前記第１のアーム構造の前記第２の端部との間において、前記第１のアーム構造の一部に固定的に接続された第１の端部を有し、前記第２のアーム構造が、リスト旋回軸において前記アクチュエータ・ハンドルに旋回可能に接続された第２の端部を有し、前記リスト旋回軸が、前記長手軸の方向において前記モジュール・ハウジングに対してスライド可能に配置される、実質的にＴ字形のクランクと
を含むデータ通信モジュール。
【請求項２】
前記モジュール・ハウジングに固定的に接続された第１の端部と、前記Ｔ字形のクランクの一部に隣接する第２の部分とを有する戻りばねをさらに含む、請求項１に記載のデータ通信モジュール。
【請求項３】
前記第１のアーム構造は、横材及び２本のアームを備えた実質的にＵ字形であり、前記第１のアーム構造の前記２本のアームは、前記クランク旋回軸に接続され、前記ピンは、前記横材から延びる、請求項１に記載のデータ通信モジュール。
【請求項４】
前記第２のアーム構造は、２本のアームを含み、前記第２のアーム構造の前記２本のアームの各々が、前記第１のアーム構造の前記２本のアームのうちの対応する一方に接続される、請求項３に記載のデータ通信モジュール。
【請求項５】
データ通信信号を処理するように構成されたモジュール電子回路と、
第１の端部及び第２の端部の間において長手軸の方向に細長い細長い形状を有するモジュール・ハウジングであって、前記モジュール・ハウジングの前記第１の端部が、信号ケーブルを受け入れるためのモジュール・ポートを有し、前記モジュール・ハウジングの前記第２の端部が、電気接点を有し、前記モジュール電子回路が、前記モジュール・ポートと、前記電気接点との間におけるデータ通信信号のための処理経路を提供する、モジュール・ハウジングと、
前記長手軸の方向に細長い形状を有するアクチュエータ・ハンドルであって、ハンドル・ラッチ位置とハンドル・ラッチ解除位置との間において前記長手軸の方向において前記モジュール・ハウジングに対してスライド可能であるアクチュエータ・ハンドルと、
第１のアーム構造と、前記第１のアーム部分に対して実質的に垂直な向きの第２のアーム構造とを有する実質的にＴ字形のクランクであって、前記第１のアーム構造が、クランク旋回軸において前記モジュール・ハウジングに旋回可能に接続された第１の端部と、そこから延びるピンを有する第２の端部とを有し、前記第２のアーム構造が、前記第１のアーム構造の前記第１の端部と前記第１のアーム構造の前記第２の端部との間において、前記第１のアーム構造の一部に固定的に接続された第１の端部を有し、前記第２のアーム構造が、リスト旋回軸において前記アクチュエータ・ハンドルに旋回可能に接続された第２の端部を有し、前記リスト旋回軸が、前記長手軸の方向において前記モジュール・ハウジングに対してスライド可能に配置され、前記クランク旋回軸及び前記リスト旋回軸が、前記長手軸に対して垂直な向きのそれぞれの軸上で旋回し、前記リスト旋回軸は、前記アクチュエータ・ハンドルが前記ハンドル・ラッチ位置と前記ハンドル・ラッチ解除位置との間でスライドすることに応答し、クランク・ラッチ位置とクランク・ラッチ解除位置の間において、前記長手軸の方向において前記モジュール・ハウジングに対してスライド可能であり、前記ピンは、前記リスト旋回軸が前記クランク・ラッチ位置と前記クランク・ラッチ解除位置との間でスライドすることに応答し、ピン・ラッチ位置とピン・ラッチ解除位置との間において、前記長手軸、並びに前記クランク旋回軸及び前記リスト旋回軸のそれぞれの軸に対して垂直な方向に移動可能である、実質的にＴ字形のクランクと
を含むデータ通信モジュール。
【請求項６】
前記モジュール・ハウジングに固定的に接続された第１の端部と、前記Ｔ字形のクランクの一部に隣接する第２の部分とを有する戻りばねをさらに含む、請求項５に記載のデータ通信モジュール。
【請求項７】
前記第１のアーム構造は、横材及び２本のアームを備えた実質的にＵ字形であり、前記第１のアーム構造の前記２本のアームは、前記クランク旋回軸に接続され、前記ピンは、前記横材から延びる、請求項５に記載のデータ通信モジュール。
【請求項８】
前記第２のアーム構造は、２本のアームを含み、前記第２のアーム構造の前記２本のアームの各々が、前記第１のアーム構造の前記２本のアームのうちの対応する一方に接続される、請求項７に記載のデータ通信モジュール。
【請求項９】
ケージからデータ通信モジュールをラッチ解除する方法であって、前記データ通信モジュールが、モジュール電子回路と、長手軸の方向に細長いモジュール・ハウジングと、アクチュエータ・ハンドルと、実質的にＴ字形のクランクとを含むものにおいて、
前記アクチュエータ・ハンドルを前記長手軸の方向にハンドル・ラッチ位置からハンドル・ラッチ解除位置までスライドさせるステップであって、前記アクチュエータ・ハンドルが、前記長手軸の方向に細長い形状を有するステップと、
前記アクチュエータ・ハンドルをスライドさせることに応答し、前記実質的にＴ字形のクランクを、クランク・ラッチ位置からクランク・ラッチ解除位置までクランク旋回軸上で旋回させるステップであって、前記Ｔ字形のクランクが、第１のアーム構造と、前記第１のアーム構造に対して実質的に垂直な第２のアーム構造とを有し、前記第１のアーム構造が、前記クランク旋回軸において前記モジュール・ハウジングに旋回可能に接続された第１の端部と、そこから延びるピンを有する第２の端部とを有し、前記第２のアーム構造が、前記第１のアーム構造の前記第１の端部と前記第１のアーム構造の前記第２の端部との間において、前記第１のアーム構造の一部に固定的に接続された第１の端部を有し、前記第２のアーム構造が、リスト旋回軸において前記アクチュエータ・ハンドルに旋回可能に接続された第２の端部を有するステップと、
前記実質的にＴ字形のクランクを前記クランク旋回軸上で旋回させることに応答し、前記ピンを、前記ピンが前記ケージの一部と係合するピン・ラッチ位置から前記ピンの前記ケージの前記一部からの係合が解除されるピン・ラッチ解除位置まで、前記モジュール・ハウジングに向けて後退させるステップと
を含む方法。
【請求項１０】
前記データ通信モジュールを前記ケージから取り出すステップと、
前記アクチュエータ・ハンドルを離すステップと、
前記アクチュエータ・ハンドルを離すことに応答し、前記モジュール・ハウジングに接続された戻りばね、及び前記Ｔ字形のクランクにより、前記実質的にＴ字形のクランクを前記クランク・ラッチ解除位置から、弾性によって押し進めるステップと
をさらに含む、請求項９に記載の方法。
【請求項１１】
前記第１のアーム構造は、横材及び２本のアームを有する実質的にＵ字形の形状を有し、前記第１のアーム構造の前記２本のアームは、前記クランク旋回軸に接続され、前記ピンは、前記横材から延びる、請求項９に記載の方法。
【請求項１２】
前記第２のアーム構造は、２本のアームを含み、前記第２のアーム構造の前記２本のアームの各々は、前記第１のアーム構造の前記２本のアームのうちの対応する１本に接続される、請求項１１に記載の方法。
【発明の詳細な説明】
【技術分野】
【０００１】
本発明は、概して、データ通信モジュールに関し、具体的には、スライダー−クランク・ラッチ解除機構を備えたプラガブル・データ通信モジュールに関する。
【背景技術】
【０００２】
データ通信システムにおいては、インタフェース電子機器、及び他の種々のインタフェース要素をデータ通信モジュールとしてモジュール化することが、しばしば有用である。例えば、光データ通信システムでは、オプトエレクトロニクス・トランシーバ・モジュールは、レーザーのような光源、及びフォトダイオードのような光検出器を含む場合があり、レーザー及びフォトダイオードに関連する駆動回路、及びレシーバ回路をさらに含む場合がある。そのようなオプトエレクトロニクス・トランシーバ・モジュールを使用するためには、光ファイバー・ケーブルをモジュールのポートに差込み、又はその他接続する。そのようなモジュールは、外部エレクトロニクスシステムに結合することが可能な電気接点をさらに含む。
【０００３】
データ通信モジュールの他の例は、イーサネット（登録商標）・トランシーバ・モジュールである。イーサネット・トランシーバ・モジュールを使用するためには、光コネクタではなく電気コネクタを有する場合があるイーサネット・ケーブルを、モジュールのポートに差し込む。モジュールは、信号調整電子回路を含む場合がある。そのようなモジュールは、外部エレクトロニクスシステムに結合可能な電気接点をさらに含む。
【０００４】
データ通信モジュールによっては、ケージ又は他のレセプタクルに差し込まれるように構成されるものがある。当該技術分野においてスモール・フォーム・ファクター・プラガブル（ＳＦＰ）と一般に呼ばれている標準通信モジュール構成は、概ね矩形形状を有する細長いハウジングを含む。ＳＦＰモジュールは、ベイのアレイを有する金属製ケージの正面パネルにあるベイに差し込むことができる。ケージは、モジュールのアレイと外部エレクトロニクスシステムとの間のインタフェースとして機能するだけでなく、電磁妨害雑音（ＥＭＩ）に対する保護を提供する。各モジュールの先端は、モジュールをケージにラッチする機構を含む。ラッチ機構は通常、モジュール・ハウジング上のピン、及び、ケージ上のキャッチからなる。ユーザがモジュールをケージの中に押し込み、又は挿入すると、ピンは、キャッチに設けられた開口部と係合し、モジュールをケージ内の定位置にラッチする。モジュールをケージから開放し、又はラッチ解除するためには、ユーザは、モジュール上の旋回ベイルを軽くはじき、又はその他、モジュール上の機構を動かし、ピンとキャッチの相互の係合を解除する。ベイル又は他のユーザ操作機構は、モジュールをケージにラッチするときよりも、モジュールをケージからラッチするときに、より直接的に関わるため、当該機構は通常、全体として「ラッチ解除機構」と呼ばれる。ＳＦＰモジュールのための従来のラッチ解除機構は一般に、可動キャッチと可動ピンの２つのカテゴリーに分類される。
【０００５】
可動キャッチ・ラッチ解除機構は、ベイルの下向き運動に応答し、キャッチをピンから遠ざかる方向へ曲げることにより、ピンをキャッチからラッチ解除し、モジュールをケージから引き抜くときに、ピンとキャッチが互いに干渉しないようにする。可動キャッチ・ラッチ解除機構は、部品数を最小限に抑えることにより、製造上の経済性を推進する。しかしながら、可動キャッチ・ラッチ解除機構は、キャッチの弾性、又は可撓性に依存する点で、悩ましい。
【０００６】
可動ピン・ラッチ解除機構は、ベイルの旋回運動に応答し、ピンをモジュールハウジングの中に引っ込めることにより、ピンをキャッチからラッチ解除し、モジュールをケージから引き抜くときに、ピンとキャッチが互いに干渉しないようにする。可動ピン・ラッチ解除機構は、キャッチの可撓性に依存せず、ピンとキャッチの間に低い摩擦抵抗を生成する。しかしながら、従来の可動ピン・ラッチ解除機構は、相当な数の可動部品を必要とし、製造上の経済性に悪影響を与える、複雑なものとなり得る。
【発明の概要】
【課題を解決するための手段】
【０００７】
本発明の種々の実施形態は、スライダー−クランクに基づくラッチ解除機構を含むデータ通信モジュールに関する。例示的実施形態において、データ通信モジュールは、モジュール・ハウジングと、データ通信信号を処理するように構成されたモジュール電子回路と、アクチュエータ・ハンドルと、実質的にＴ字形のクランクとを含む。モジュール・ハウジングは、第１の端部と第２の端部との間における長手軸の方向に延びる細長い矩形形状を有する。モジュール・ハウジングの第１の端部は、信号ケーブルを受け入れるためのモジュール・ポートを有する。モジュール・ハウジングの第２の端部は、電気接点を有する。モジュール電子回路は、モジュール・ポートと、電気接点との間におけるデータ通信信号のための処理経路を提供する。アクチュエータ・ハンドルは、長手軸の方向に細長い形状を有し、モジュール・ハウジングに対し、長手軸の方向にスライド可能に配置される。実質的にＴ字形のクランクは、第１のアーム構造と、第１のアーム構造に対して実質的に垂直な向きに配置された第２のアーム構造とを有する。第１のアーム構造は、クランク旋回軸においてモジュール・ハウジングに旋回可能に接続された第１の端部と、そこから延びるピンを有する第２の端部とを有する。第２のアーム構造は、第１のアーム構造の第１の端部と第１のアーム構造の第２の端部との間において第１のアーム構造の一部に固定的に接続された第１の端部を有する。第２のアーム構造は、リスト旋回軸においてアクチュエータ・ハンドルに旋回可能に接続された第２の端部を有する。リスト旋回軸は、モジュール・ハウジングに対し、長手軸の方向にスライド可能に配置される。
【０００８】
例示的実施形態において、上記のデータ通信モジュールをケージからラッチ解除する方法は、アクチュデータ・ハンドルを長手軸の方向にハンドル・ラッチ位置からハンドル・ラッチ解除位置までスライドさせるステップを含む。アクチュエータ・ハンドルのこのスライド運動に応答し、実質的にＴ字形のクランクは、クランク・ラッチ位置からクランク・ラッチ解除位置まで旋回する。クランクのこの旋回運動に応答し、ピンは、ピン・ラッチ位置（この位置で、ピンはケージの一部と係合する）からピン・ラッチ解除位置（この位置で、ピンはケージの前記一部から開放される）まで、モジュール・ハウジングに向かって後退する。このような形でラッチ解除された後、ユーザは、データ通信モジュールをケージから引き出し、又は取り出すことができる。
【０００９】
他のシステム、方法、特徴、及び利点は、下記の図面及び詳細な説明を精査したときに、当業者には、明らかになり、又は明らかとなるであろう。そのような他のシステム、方法、特徴、及び利点も全て、この説明の中に含まれ、本明細書の範囲内であり、添付の特許請求の範囲により保護されることを意図している。
【００１０】
本発明は、下記の図面を参照することにより、より良好に理解することができる。図面中の種々の構成要素は、必ずしも寸法どおりに描かれているとは限らず、むしろ、本発明の原理を明確に示すために、強調が施されている。
【図面の簡単な説明】
【００１１】
【図１】データ通信モジュールがケージの中に挿入されているところを示す、本発明の例示的実施形態によるデータ通信モジュールシステムを示す斜視図である。
【図２】データ通信モジュールがケージの中に完全に挿入れ、ラッチされたところを示す、本発明の例示的実施形態によるデータ通信モジュールシステムを示す斜視図である。
【図３】図１〜図２のデータ通信モジュールの底部を示す斜視図である。
【図４】図１〜図２のデータ通信モジュールにおけるデータ通信信号のための処理経路を示すブロック図である。
【図５】図１〜図２のデータ通信モジュールのラッチ解除機構を示す斜視図である。
【図６】ラッチ位置にあるアクチュエータ・ハンドルを示す、図２のデータ通信モジュール及びケージを示す側面図である。
【図７】図６のデータ通信モジュールのラッチ解除機構を示す側面図である。
【図８】ラッチ解除位置にあるアクチュエータ・ハンドルを示す、図２のデータ通信モジュール及びケージを示す側面図である。
【図９】図８のデータ通信モジュールのラッチ解除機構を示す側面図である。
【発明を実施するための形態】
【００１２】
図１に示されるように、本発明の例示的又は例証となる実施形態において、データ通信モジュールシステム１００は、データ通信モジュール１０２、及び電磁妨害（ＥＭＩ）ケージ１０４を含む。以下で説明するような形で、データ通信モジュール１０２は、ＥＭＩケージ１０４の中に固定され、又はラッチされることができ、その後、データ通信モジュール１０２は、データ通信モジュール１０２をＥＭＩケージ１０４から取り外すことができるように開放され、又はラッチ解除されることができる。
【００１３】
データ通信モジュール１０２は、概ね矩形の断面形状を有する細長いモジュール・ハウジング１０６を含むことができる。信号ケーブル１０８（例えば、光ファイバー・ケーブル）は、モジュール・ハウジング１０６の後方端から延びている。データ通信モジュール１０２は、図１に矢印で示されるように、モジュール・ハウジング１０６の前方端をベイ開口部に挿入することにより、ＥＭＩケージ１０４のベイの中に挿入され、又は差し込まれることができる。
【００１４】
図２に示されるように、ＥＭケージ１０４の各ベイの中には、舌部１１０がある。舌部１１０は、ＥＭＩケージ１０４の周囲部分と同じシート材料から形成され、ベイの中で内向きに角度が付され、又は曲げられ、斜面状表面を形成する。舌部１１０は、開口部１１２を有する。データ通信モジュール１０２は、データ通信モジュール１０２が図２に示されている完全に挿入された位置に達するまで、ベイの中に挿入され、又は差し込まれることができる。データ通信モジュール１０２がこの位置に達すると、データ通信モジュールの下面にあるラッチ・ピン１１４（図３）は、舌部１１０の上をスライドし、開口部１１２の中に収まる。この位置において、ラッチ・ピン１１４と舌部１１０の開口部１１２との間の係合によって、データ通信モジュール１０２はＥＭＩケージ１０４の中に維持され、又はラッチされる。
【００１５】
ＥＭＩケージ１０４のベイの中に完全に挿入され、及びラッチされると、データ通信モジュール１０２は、ＥＭＩケージ１０４を介して、交換システム又は処理システムのような外部システム（図示せず）との間で種々のデータ信号を通信することができる。図４に示すように、データ通信モジュール１０２がＥＭＩケージ１０４のベイの中に完全に挿入されると、モジュール・ハウジング１０６の前方端にある電気接点アレイ１１６は、ＥＭＩケージ１０４内の電気接点と結合される。モジュール・ハウジング１０６の中には、光−電気信号変換回路１２０、及び電気−光信号変換回路１２２のような種々のモジュール電子回路１１８がさらに配置される。モジュール電子回路１１８は、電気接点アレイ１１６と、信号ケーブル１０８との間の信号処理経路を提供する。より具体的には、光−電気信号変換回路１２０は、信号ケーブル１０８の光ファイバー１２４を介して受信された光信号を対応する電気信号に変換し、その電気信号を電気接点アレイ１１６に渡す。同様に、電気−光信号変換回路１２２は、電気接点アレイ１１６を介して受信された電気信号を対応する光信号に変換し、その光信号を信号ケーブル１０８のもう一方の光ファイバー１２６に渡す。
【００１６】
データ通信モジュール１０２の上記の矩形形状、動作、及び他の特性は、スモール・フォーム・ファクター・プラガブル（ＳＦＰ）と一般に呼ばれるデータ通信モジュールのタイプ又はカテゴリーを規定する。ＳＦＰ＋のような、ＳＦＰモジュールタイプの種々のバリエーションも知られているが、上記の特性を有するそのようなデータ通信モジュールは全て、ＳＦＰと一般に呼ばれるモジュールタイプの仲間である。本明細書に記載される例示的実施形態では、データ通信モジュール１０２は、トランシーバの形で光信号を双方向に処理するＳＦＰタイプのものであるが、他の実施形態では、データ通信モジュールは、光信号若しくは電気信号又は光信号と電気信号の組み合わせを処理する任意の他のＳＦＰタイプ又は類似タイプのものであってもよく、トランシーバのような形で双方向に処理するものであっても、トランスミッタ又はレシーバのような形で一方向に処理するものであってもよい。そのような処理を提供するモジュール・ハウジング１０６内のエレクトロニクス及びオプトエレクトロニクス要素アセンブリの詳細は、関連しないので、そのようなアセンブリについては、これ以上詳しく説明はしない。
【００１７】
図３及び図５に示されるように、ラッチ解除機構１２７（図５）は、アクチュエータ・ハンドル１２８、及び実質的にＴ字形の連結器又はクランク１３０を含む。クランク１３０は、横材１３６の所で結合された一対のアーム１３２及び１３４を含むＵ字形の第１のアーム構造を含む。ラッチ・ピン１１４は、第１のアーム構造のこの端部にある横材１３６から延びている。クランク１３０は、もう一対のアーム１３８及び１４０を含む第２のアーム構造を含む。本明細書において、用語「クランク」及び「スライダー・クランク」は、便宜上使用されるものであり、この用語の使用自体が、例示的実施形態に関連して本明細書に記載されたもの以外の構造又は動作特性を指すことを何ら意図しないものと解してはならない。
【００１８】
アーム１３２及び１３４のラッチ・ピン１１４が延びている側の端部とは反対側の端部は、クランク・ピン１４２（図５）に接続される。クランク・ピン１４２は、モジュール・ハウジング１０６における対応するボア（単独で示されてはいない）の中で回転可能であり、第１のアーム構造をモジュール・ハウジング１０６に旋回可能に接続するクランク旋回軸を規定している。
【００１９】
第２のアーム構造を規定する一対のアーム１３８及び１４０は、第１のアーム構造を規定する一対のアーム１３２及び１３４に対して、実質的に垂直な方向に延びている。第１のアーム構造と第２のアーム構造のこの相互垂直構成は、実質的にＴ字形のクランク１３０の「Ｔ」字形を規定している。一対のアーム１３８及び１４０は、その対向する端部間にある第１のアーム構造の一部から、アクチュエータ・ハンドル１２８の対応するボア（独立して示されてはいない）内において回転可能なリスト・ピン１４６（図７及び図９）により規定されるリスト旋回軸まで延びている。したがって、リスト旋回軸は、アーム１３８及び１４０を含む第２のアーム構造をアクチュエータ・ハンドル１２８に旋回可能に接続する。第１のアーム構造を規定する一対のアーム１３８、１４０と、第２のアーム構造を規定する一対のアーム１３２、１３４との間の（「Ｔ」）字接続は、固定的、又は剛性である。
【００２０】
参考のために記載すれば、モジュール・ハウジング１０６は、長手軸１５０の方向に細長い。また、アクチュエータ・ハンドル１２８も、長手軸１５０の方向に細長い。リスト旋回軸は、長手軸１５０に対して垂直な軸１５２を有する。同様に、クランク旋回軸は、長手軸１５０に対して垂直で、かつ、軸１５２に対して平行な軸１５４を有する。したがって、（図３及び図５において）、ラッチ・ピン１１４は、長手軸１５０、並びに軸１５２及び１５４に対して実質的に垂直なさらに別の軸１５６の方向に延びていると言える。
【００２１】
図６〜図７に示されるラッチ位置又はラッチ状態において、ラッチ・ピン１１４は、舌部１１０の開口部１１２と係合している。したがって、データ通信モジュール１０２の一部は、ＥＭＩケージ１０４においてラッチされ、ＥＭＩケージ１０４からの取り外しに抵抗する。戻りばね１５８は、第１のアーム構造の横材１３６に隣接し、第１のアーム構造の横材１３６に対して弾性バイアス力（resilient bias force）を与える部分を含み、それによって、ラッチ・ピン１１４を開口部１１２と係合する状態まで押し進める。戻りばね１５８のさらに別の部分は、モジュール・ハウジング１０６（明確さのために図７には示されていない）の一部を支持する。したがって、戻りばね１５８は、クランク１３０をモジュール・ハウジング１０６に対して付勢する。
【００２２】
図８〜図９に示されるように、データ通信モジュール１０２を上記のラッチ状態からラッチ解除するためには、アクチュエータ・ハンドル１２８に対し、矢印１６０の方向に、すなわち、長手軸１５０（図３及び図５）の方向に、引っ張り力を加える。この引っ張り力に応答し、アクチュエータ・ハンドル１２８は、矢印１６０の方向にスライドする。したがって、リスト旋回軸（リスト・ピン１４６、及びアクチュエータ・ハンドル１２８の対応するボアにより規定される）は、矢印１６２に示すように、アクチュエータ・ハンドル１２８とともにスライドする。したがって、リスト旋回軸は、モジュール・ハウジング１０６に対してスライドする。リスト旋回軸が矢印１６０の方向にスライドする際に、リスト旋回軸は別の方向に僅かにずれるが、そのような別の方向における動き成分は取るに足らないものであるため、本明細書では、リスト旋回軸の動きは、スライドすると称される。アクチュエータ・ハンドル１２８は、図６〜図７に示される「ハンドル・ラッチ」位置から、図８〜図９に示される「ハンドル・ラッチ解除」位置までスライドすることができる。
【００２３】
リスト旋回軸のスライド動作に応答し、クランク１３０は、クランク旋回軸（クランク・ピン１４２、及びモジュール・ハウジング１０６における対応するボアにより規定される）上で旋回、又は回転する。より具体的には、クランク１３０のクランク・ピン１４２に取り付けられた第１のアーム構造の端部は、矢印１６４で示される方向に旋回する。クランク１３０は、図６〜図７に示される「クランク・ラッチ」位置から、図８〜図９に示される「クランク・ラッチ解除」位置まで旋回することができる。クランク１３０が旋回する際に、クランク１３０は、クランク１３０が支持しているモジュール・ハウジング１０６の部分に対し、戻りばね１５８を圧縮する。クランク１３０のこの旋回動作に応答し、ラッチ・ピン１１４は、ハウジング１０６に向けて後退し、したがって、開口部１１２との係合は解除される。ラッチ・ピン１１４は、実際には矢印１６６で示されるように円弧状に動くが、実質的には、ラッチ・ピン１１４は、軸１５６（図３及び図５）の適正な方向に比較的短い距離にわたって後退し、図６〜図７に示される「ピン・ラッチ」位置から図８〜図９に示される「ピン・ラッチ解除」位置まで移動すると考えられる。したがって、ユーザがアクチュエータ・ハンドル１２８を上記のようにスライドさせることに応答し、ラッチ・ピン１１４は、開口部１１２から持ち上げられ、又は開口部１１２から後退させられ、それによって、データ通信モジュール１０２は、ＥＭＩケージ１０４からラッチ解除される。
【００２４】
データ通信モジュール１０２が上記のようにＥＭＩケージ１０４からラッチ解除されると、その後、ユーザは、データ通信モジュール１０２を図８〜図９に矢印１６０で示される方向に引っ張り続けることにより、データ通信モジュール１０２をＥＭＩケージ１０４から引き出し、又は取り出すことができる。データ通信モジュール１０２がＥＭＩケージ１０４からラッチ解除され、ＥＭＩケージ１０４から少なくとも僅かに引き出された後、ユーザは、アクチュエータ・ハンドル１２８を放すことができる。すなわち、ユーザは、上記の引っ張り力をハンドル１２８に加えることを停止することができる。そのような引っ張り力が無くなると、戻りばね１５８は弾性により伸長し、ばね力をクランク１３０に与え、それによって、クランク１３０を図７に示した位置又は状態まで押し戻す。
【００２５】
本発明の１以上の実施形態について上に記載した。しかしながら、本発明は、添付の特許請求の範囲により規定されるものであり、記載した特定の実施形態に制限されることはないものと解すべきである。
【符号の説明】
【００２６】
１０２  データ通信モジュール
１０４  ＥＭＩケージ
１０６  モジュール・ハウジング
１１４  ピン
１２８  アクチュエータ・ハンドル
１３０  Ｔ字形のクランク
【図１】
2014120481.tif 000003
【図２】
2014120481.tif 000004
【図３】
2014120481.tif 000005
【図４】
2014120481.tif 000006
【図５】
2014120481.tif 000007
【図６】
2014120481.tif 000008
【図７】
2014120481.tif 000009
【図８】
2014120481.tif 000010
【図９】
2014120481.tif 000011